(57)【要約】【課題】パネル幅を削減して装置全体の空間効率を上げることができる。【解決手段】収納された被滅菌物に対して滅菌工程を施す滅菌室３２と、滅菌室３２の正面開口部を開閉するために水平方向にスライド可能な正面扉３６と、滅菌室３２の正面開口部の周囲に配置されて滅菌室外壁の周囲を隠蔽するように設けられた正面パネル４０と、作業者が操作可能な操作部４５及び現在の滅菌工程を示す工程表示灯４４が設けられた操作表示ユニット４８を有する正面制御パネル４６と、を具備し、正面制御パネル４６は、正面扉３６が開いたときの正面扉３６のスライド方向側に配置され、正面扉３６が開いたときに、正面制御パネル４６の背面側に正面扉３６が位置するように設けられている。【選択図】図１
2020156819.tif 000002
【特許請求の範囲】
【請求項１】
収納された被滅菌物に対して滅菌工程を施す滅菌室と、
該滅菌室の正面開口部を開閉するために水平方向にスライド可能な正面扉と、
該滅菌室の正面開口部の周囲に配置されて滅菌室外壁の周囲を隠蔽するように設けられた正面パネルと、
作業者が操作可能な操作部及び現在の滅菌工程を示す工程表示灯が設けられた操作表示ユニットを有する正面制御パネルと、を具備し、
前記正面制御パネルは、前記正面扉が開いたときの正面扉のスライド方向側に配置され、
前記正面扉が開いたときに、前記正面制御パネルの背面側に正面扉が位置するように設けられていることを特徴とする滅菌装置。
【請求項２】
前記正面制御パネルに設けられた前記操作表示ユニットは、前記正面扉、前記正面パネル及び前記正面制御パネルの表面よりも正面側に突出するように設けられていることを特徴とする請求項１記載の滅菌装置。
【請求項３】
前記正面パネルは、前記滅菌室に対して枠状補強材を設けずに取り付けられていることを特徴とする請求項１又は請求項２記載の滅菌装置。
【請求項４】
前記滅菌室には背面側にも背面開口部が形成され、
前記滅菌室の前記背面開口部を開閉するために水平方向にスライド可能な背面扉と、
前記滅菌室の背面開口部の周囲に配置されて滅菌室外壁の周囲を隠蔽するように設けられた背面パネルと、
前記操作表示ユニットが設けられた背面制御パネルと、を具備し、
前記背面制御パネルは、前記背面扉が開いたときの背面扉のスライド方向側に配置され、
前記背面扉が開いたときに、前記背面制御パネルの正面側に背面扉が位置するように設けられていることを特徴とする請求項１〜請求項３のうちのいずれか１項記載の滅菌装置。
【請求項５】
前記背面制御パネルに設けられた前記操作表示ユニットは、前記背面扉、前記背面パネル及び前記背面制御パネルの表面よりも背面側に突出するように設けられていることを特徴とする請求項４記載の滅菌装置。
【請求項６】
前記背面パネルは、前記滅菌室に対して枠状補強材を設けずに取り付けられていることを特徴とする請求項４又は請求項５記載の滅菌装置。
【請求項７】
前記正面扉と前記背面扉は、平面視すると同一方向にスライドして前記滅菌室を開口可能に設けられ、
前記正面制御パネルと前記背面制御パネルは、平面視すると滅菌室に対して同一方向側に配置されていることを特徴とする請求項４〜請求項６のうちのいずれか１項記載の滅菌装置。
【発明の詳細な説明】
【技術分野】
【０００１】
本発明は、蒸気や酸化エチレンガス等の滅菌剤によって被滅菌物を滅菌する滅菌装置に関する。
【背景技術】
【０００２】
病院等においては、治療用の包帯、メス、鉗子、手術着等の滅菌が必要な被滅菌物を滅菌処理する必要がある。このような被滅菌物の滅菌には、被滅菌物を収容する圧力容器を有する蒸気滅菌装置が用いられることが多い。
一般的な蒸気滅菌装置では、圧力容器内に飽和水蒸気を導入して加圧・加熱し、所定の圧力及び温度を一定時間保持することにより被滅菌物を滅菌するように動作する。
【０００３】
例えば特許文献１に示すように、滅菌装置の正面には、滅菌室の開口部を開閉する扉と、制御パネルとが設けられる。
制御パネルには、タッチパネル方式により作業者が操作可能であって且つ作業者に対して動作状況等を表示させる操作部と、滅菌工程時における滅菌室内の温度や圧力等の数値データを印字可能なプリンタ等が設けられることが一般的である。
【先行技術文献】
【特許文献】
【０００４】
【特許文献１】特開２０１５−９２９８３号公報
【発明の概要】
【発明が解決しようとする課題】
【０００５】
従来の滅菌装置においては、制御パネルの背面側には制御パネルの操作部やプリンタに使用される制御回路等が設けられているのみであり無駄な空間が多いという課題がある。  また、滅菌装置の正面側のパネル幅を狭くして、滅菌装置が設置される部屋の空間効率を上げたいという要望もある。
【課題を解決するための手段】
【０００６】
そこで、本発明は上記課題を解決すべくなされ、その目的とするところは、制御パネルの配置場所を変更することによって、無駄な空間を無くして正面側のパネル幅を削減できる滅菌装置を提供することにある。
【０００７】
本発明にかかる滅菌装置によれば、収納された被滅菌物に対して滅菌工程を施す滅菌室と、該滅菌室の正面開口部を開閉するために水平方向にスライド可能な正面扉と、該滅菌室の正面開口部の周囲に配置されて滅菌室外壁の周囲を隠蔽するように設けられた正面パネルと、作業者が操作可能な操作部及び現在の滅菌工程を示す工程表示灯が設けられた操作表示ユニットを有する正面制御パネルと、を具備し、前記正面制御パネルは、前記正面扉が開いたときの正面扉のスライド方向側に配置され、前記正面扉が開いたときに、前記正面制御パネルの背面側に正面扉が位置するように設けられていることを特徴としている。
この構成を採用することによって、正面扉が水平方向にスライド移動して開閉する構成とし、正面扉が開状態となったとき正面制御パネルの裏側（制御パネルの背面側は無駄な空間が存在している）に正面扉が収納できるようにしたため、滅菌装置の正面側のパネル幅を削減することができる。
【０００８】
また、前記正面制御パネルに設けられた前記操作表示ユニットは、前記正面扉、前記正面パネル及び前記正面制御パネルの表面よりも正面側に突出するように設けられていることを特徴としてもよい。
従来の滅菌装置ではほぼ正面からでないと前記操作表示ユニットの工程表示灯が見えづらかったが、この構成によれば、前記操作表示ユニットにおける工程表示灯の視認性を高めることができる。また、前記操作表示ユニットを正面制御パネルの表面よりも突出させることにより、前記操作表示ユニットを制御する制御回路等を正面制御パネルの裏側に設けなくてもよく制御回路等も正面制御パネルの表面側に設けることができる。このため、正面制御パネルの裏側には正面扉がスライド移動してきたときの収納スペースが十分に確保できる。
【０００９】
また、前記正面パネルは、前記滅菌室に対して枠状補強材を設けずに取り付けられていることを特徴としている。
この構成によれば、正面パネルは、自身の強度のみで強度確保されているので、枠状補強材を設けなくてもよく、枠状補強材分の材料費等に基づく製造コストの削減に寄与する。
【００１０】
また、前記滅菌室には背面側にも背面開口部が形成され、前記滅菌室の前記背面開口部を開閉するために水平方向にスライド可能な背面扉と、前記滅菌室の背面開口部の周囲に配置されて滅菌室外壁の周囲を隠蔽するように設けられた背面パネルと、前記操作表示ユニットが設けられた背面制御パネルと、を具備し、前記背面制御パネルは、前記背面扉が開いたときの背面扉のスライド方向側に配置され、前記背面扉が開いたときに、前記背面制御パネルの正面側に背面扉が位置するように設けられていることを特徴としてもよい。
この構成によれば、滅菌室を正面及び背面の双方に開口部を設けた構成であっても、正面扉と同様に、背面扉が開状態となったとき背面制御パネルの裏側に背面扉が収納できるようにしたため、滅菌装置の背面側のパネル幅を削減することができる。
【００１１】
また、前記背面制御パネルに設けられた前記操作表示ユニットは、前記背面扉、前記背面パネル及び前記背面制御パネルの表面よりも背面側に突出するように設けられていることを特徴としてもよい。
従来の滅菌装置ではほぼ背面側正面からでないと前記操作表示ユニットの工程表示灯が見えづらかったが、この構成によれば、前記操作表示ユニットにおける工程表示灯の視認性を高めることができる。また、前記操作表示ユニットを背面制御パネルの表面よりも突出させることにより、前記操作表示ユニットを制御する制御回路等を背面制御パネルの裏側に設けなくてもよく制御回路等も背面制御パネルの表面側に設けることができる。このため、背面制御パネルの裏側には背面扉がスライド移動してきたときの収納スペースが十分に確保できる。
【００１２】
また、前記背面パネルは、前記滅菌室に対して枠状補強材を設けずに取り付けられていることを特徴としてもよい。
この構成によれば、背面パネルは、自身の強度のみで強度確保されているので、枠状補強材を設けなくてもよく、枠状補強材分の材料費等に基づく製造コストの削減に寄与する。
【００１３】
また、前記正面扉と前記背面扉は、平面視すると同一方向にスライドして前記滅菌室を開口可能に設けられ、前記正面制御パネルと前記背面制御パネルは、平面視すると滅菌室に対して同一方向側に配置されていることを特徴としてもよい。
この構成によれば、滅菌装置全体を平面視した場合に、滅菌室に対して正面制御パネル及び背面制御パネルともに同じ方向にあり、装置全体として無駄な空間を無くすことができる。
【発明の効果】
【００１４】
本発明の滅菌装置によれば、パネル幅を削減して装置全体の空間効率を上げることができる。
【図面の簡単な説明】
【００１５】
【図１】滅菌装置の一部内部構成を表した斜視図である。
【図２】滅菌装置の概略構成を示した平面図である。
【図３】滅菌装置の他の実施形態における概略構成を示した平面図である。
【発明を実施するための形態】
【００１６】
図１に滅菌装置の一部内部構成を表した斜視図を示す。図２に滅菌装置の概略構成を表した平面図を示す。
ここで説明する滅菌装置３０は蒸気滅菌装置である。そして、本実施形態の滅菌装置３０は、滅菌室３２を構成する缶体３４の正面側と背面側の双方が開口可能な構成であるとする。
【００１７】
滅菌室３２内で蒸気滅菌を施すための構成として、缶体３４の外壁には各種配管及び真空ポンプ等が配管ユニット４１として取り付けられている。
【００１８】
滅菌装置３０は、内部が滅菌室３２として構成される缶体３４と、滅菌室３２の正面開口部を開閉する正面扉３６と、滅菌室３２の背面開口部を開閉する背面扉３７（図２参照）とを備えている。
正面扉３６は、水平方向にスライド移動して開閉する構成であり、本実施形態では、滅菌装置を正面視すると右方向に正面扉３６がスライド移動して滅菌室３２が開くような構成としている。
【００１９】
滅菌室３２の正面開口部の周囲（四方）は正面パネル４０が設けられている。正面パネル４０は滅菌室３２の正面開口部の周囲を囲み、缶体３４の外壁に設けられた配管ユニット４１などの内部構成を隠蔽するようにして配置される。
【００２０】
また、従来であれば缶体３４の周囲を囲むように枠状補強材（アングル材）が組まれており、この枠状補強材に正面パネルを取り付けるようにしていたが、本実施形態では枠状補強材を設けずに正面パネル４０を缶体３４の正面側に取り付けている。
【００２１】
正面扉３６が開いたときのスライド移動方向側に正面制御パネル４６が配置される。本実施形態では正面扉３６は正面視して右方向にスライド移動して滅菌室３２の正面開口部を開くようにしているので、正面制御パネル４６は、正面パネル４０の右側に配置される。
正面制御パネル４６の表面は正面パネル４０の正面と同一平面（段差がなくフラットな状態）となるように配置される。なお、正面扉３６は正面パネル４０と正面制御パネル４６の内側（背面側）に配置されている。
【００２２】
正面制御パネル４６には、操作表示ユニット４８が設けられている。操作表示ユニット４８には、タッチパネルによって構成されて作業者が滅菌工程の設定について操作可能であり、作業者に対して必要な表示を行う操作部４５が設けられている。さらに、操作表示ユニット４８の上端部には、現在の滅菌工程の状況などを色別に点灯、点滅等する工程表示灯４４が設けられている。
この操作表示ユニット４８は、正面制御パネル４６の表面よりも突出して設けられている。正面制御パネル４６の表面は、正面パネル４０の表面と同一平面状となっているので、操作表示ユニット４８は、正面パネル４０の表面に対しても突出して設けられていることとなる。
【００２３】
操作表示ユニット４８を表面制御パネル４６の表面よりも突出させることにより、操作表示ユニット４８を制御する制御回路等を正面制御パネル４６の裏側に設けなくてもよく制御回路等も表面制御パネル４６の表面側（操作表示ユニット４８内に一体化して）設けることができる。このため、正面制御パネル４６の裏側には正面扉３６がスライド移動してきたときの収納スペースが十分に確保できる。
【００２４】
正面制御パネル４６の正面扉３６が開いたときのスライド移動方向側には、正面開閉パネル５０が設けられている。正面開閉パネル５０の内側は、その内側に正面扉３６が開いたときに、正面制御パネル４６とともに正面扉３６の収納場所として機能する。正面開閉パネル５０の表面は、正面制御パネル４６の表面と同一平面状となるように設けられている。
【００２５】
また、正面扉３６が滅菌室３２を閉塞している（閉じている）ときには、正面開閉パネル５０は、正面側に開くようにヒンジ４９が設けられている。ヒンジ４９は、正面開閉パネル５０の右側（正面扉３６のスライド移動方向側）に設けられている。また、正面開閉パネル５０の左側には、正面開閉パネル５０を開くときに作業者が手をかける部分である把持部５２が設けられている。把持部５２は、鍵によってロックできるように構成してもよい。
このように、正面開閉パネル５０が開閉することによって、作業者が滅菌装置３０の内部に入って配管ユニット４１等の調整、整備などを実行することができる。
【００２６】
次に、滅菌装置３０の背面側の構成について説明する。
背面扉３７は、水平方向にスライド移動して開閉する構成であり、本実施形態では、滅菌装置を背面視（図示せず）すると左方向に背面扉３７がスライド移動して滅菌室３２が開くような構成としている。
【００２７】
滅菌室３２の背面開口部の周囲（四方）は背面パネル５８が設けられている。背面パネル５８は滅菌室３２の背面開口部の周囲を囲み、缶体３４の外壁に設けられた配管ユニット４１などの内部構成を隠蔽するようにして配置される。
【００２８】
また、従来であれば缶体３４の周囲を囲むように枠状補強材（アングル材）が組まれており、この枠状補強材に背面パネルを取り付けるようにしていたが、本実施形態では枠状補強材を設けずに背面パネル５８を缶体３４の背面側に取り付けている。
【００２９】
背面扉３７が開いたときのスライド移動方向側に背面制御パネル６０が配置される。本実施形態では背面扉３７は背面視して左方向にスライド移動して滅菌室３２の背面開口部を開くようにしているので、背面制御パネル６０は、背面パネル５８の左側に配置される。
背面制御パネル６０の表面は背面パネル５８の表面と同一平面（段差がなくフラットな状態）となるように配置される。なお、背面扉３７は背面パネル５８と背面制御パネル６０の内側（背面側）に配置されている。
【００３０】
背面制御パネル６０には、操作表示ユニット６１が設けられている。操作表示ユニット６１の上端部には、現在の滅菌工程の状況などを色別に点灯、点滅等する工程表示灯４４が設けられている。また、背面側の操作表示ユニット６１は、正面側に設けられた操作表示ユニット４８と同様に、タッチパネルによって構成されて作業者が滅菌工程の設定について操作可能であり、作業者に対して必要な表示を行う操作部４５が設けられていてもよい。
この操作表示ユニット６１は、背面制御パネル６０の表面よりも突出して設けられている。背面制御パネル６０の表面は、背面パネル５８の表面と同一平面状となっているので、操作表示ユニット６１は、背面パネル５８の表面に対しても突出して設けられていることとなる。
【００３１】
操作表示ユニット６１を背面制御パネル６０の表面よりも突出させることにより、操作表示ユニット６１を制御する制御回路等を背面制御パネル６０の裏側に設けなくてもよく制御回路等も背面制御パネル６０の表面側（操作表示ユニット６１内に一体化して）に設けることができる。このため、背面制御パネル６０の裏側には背面扉３７がスライド移動してきたときの収納スペースが十分に確保できる。
【００３２】
背面制御パネル６０の背面扉３７が開いたときのスライド移動方向側には、背面開閉パネル６２が設けられている。背面開閉パネル６２の内側は、その内側に背面扉３７が開いたときに、背面制御パネル６０とともに背面扉３７の収納場所として機能する。背面開閉パネル６２の表面は、背面制御パネル６０の表面と同一平面状となるように設けられている。
【００３３】
また、背面扉３７が滅菌室３２を閉塞している（閉じている）ときには、背面開閉パネル６２は、背面側に開くようにヒンジ６９が設けられている。ヒンジ６９は、背面開閉パネル６２の左側（背面扉３７のスライド移動方向側）に設けられている。また、背面開閉パネル６２の右側には、背面開閉パネル６２を開くときに作業者が手をかける部分である把持部（図示せず）が設けられている。把持部は、鍵によってロックできるように構成してもよい。
このように、背面開閉パネル６２が開閉することによって、作業者が滅菌装置３０の内部に入って配管ユニット４１等の調整、整備などを実行することができる。
なお、背面開閉パネル６２は、ヒンジ６９を設けずに固定された構造であってもよい。      
【００３４】
このように、滅菌装置３０の滅菌室３２の両端部が開閉する構成としたことにより、正面パネル４０、正面制御パネル４６、正面開閉パネル５０をまだ滅菌されていない被滅菌物の洗浄・組立て等を行う洗浄・組立て室の壁面の一部として配置することができる。そして、背面パネル５８、背面制御パネル６０、背面開閉パネル６２を滅菌完了後の滅菌物の保管・払出し等を行うクリーンルームの壁面の一部として配置することができる。
【００３５】
このような構成の滅菌装置によれば、正面扉３６と背面扉３７は、平面視すると同一方向にスライドして滅菌室３２を開口可能に設けられ、正面制御パネル４６と背面制御パネル６０は、平面視すると滅菌室３２に対して同一方向側に配置されている。したがって、図２のように滅菌装置３０全体を平面視した場合に、滅菌室３２に対して正面制御パネル４６及び背面制御パネル６０ともに同じ方向にあり、装置全体として無駄な空間を無くすことができる。
【００３６】
また、図２に示したように、配管ユニット４１を設けた側に、正面制御パネル４６と背面制御パネル６０を設けることにより、装置全体の水平方向幅をなるべく削減しつつ、配管ユニット４１を正面制御パネル４６及び背面制御パネル６０によって隠蔽することができる。そして、正面制御パネル４６及び背面制御パネル６０に対して隣接させて正面開閉パネル５０と背面開閉パネル６２を設けることによって、正面開閉パネル５０と背面開閉パネル６２を開けることで作業者は配管ユニット４１の調整、整備等を実施することができる。
【００３７】
なお、上述した実施形態では、滅菌室の両側が扉によって開閉する構成の滅菌装置について説明したが、滅菌室の正面側のみが扉によって開閉する構成の滅菌装置であってもよい。
【００３８】
図３に、滅菌室の正面側のみが扉によって開閉する構成の滅菌装置の概略構成の平面図を示す。
図３に示すように滅菌室３２の正面開口部の周囲（四方）は正面パネル４０が設けられている。正面パネル４０は滅菌室３２の正面開口部の周囲を囲み、缶体３４の外壁に設けられた配管ユニット４１などの内部構成を隠蔽するようにして配置される。
【００３９】
また、正面扉３６は、水平方向にスライド移動して開閉する構成であり、本実施形態では、滅菌装置を正面視すると右方向に正面扉３６がスライド移動して滅菌室３２が開くような構成としている。
正面扉３６が開いたときのスライド移動方向側に正面制御パネル４６が配置される。正面扉３６は図面右方向にスライド移動して滅菌室３２の正面開口部を開くようにしているので、正面制御パネル４６は、正面パネル４０の右側に配置される。
正面制御パネル４６の表面は正面パネル４０の正面と同一平面となるように配置される。
【００４０】
操作表示ユニット４８は、正面制御パネル４６の表面よりも突出して設けられている。正面制御パネル４６の表面は、正面パネル４０の表面と同一平面状となっているので、操作表示ユニット４８は、正面パネル４０の表面に対しても突出して設けられていることとなる。
【００４１】
正面制御パネル４６の正面扉３６が開いたときのスライド移動方向側には、正面開閉パネル５０が設けられている。正面開閉パネル５０の内側は、その内側に正面扉３６が開いたときに、正面制御パネル４６とともに正面扉３６の収納場所として機能する。正面開閉パネル５０の表面は、正面制御パネル４６の表面と同一平面状となるように設けられている。
【００４２】
また、正面扉３６が滅菌室３２を閉塞している（閉じている）ときには、正面開閉パネル５０は、正面側に開くようにヒンジ４９が設けられている。ヒンジ４９は、正面開閉パネル５０の右側（正面扉３６のスライド移動方向側）に設けられている。また、正面開閉パネル５０の左側には、正面開閉パネル５０を開くときに作業者が手をかける部分である把持部５２が設けられている。把持部５２は、鍵によってロックできるように構成してもよい。
このように、正面開閉パネル５０が開閉することによって、作業者が滅菌装置３０の内部に入って配管ユニット４１等の整備などを実行することができる。
【００４３】
また、上述した各実施形態の操作表示ユニット４８、６１については操作部４５及び工程表示灯４４を有することに限定するだけでなく、プリンタやＵＳＢ接続ポートなどを含めて正面制御パネル４６及び背面開閉パネル６２の表面から突出するように構成してもよい。
【００４４】
さらに、上述した各実施形態では、滅菌装置３０を正面視右方向に正面扉３６がスライド移動して滅菌室３２を開く構成としていたが、正面視左方向に正面扉３６をスライド移動させて滅菌室３２を開く構成としてもよい。正面視左方向に正面扉３６をスライド移動させる構成の場合には、正面制御パネル４６を正面パネル４０の左側に配置する。また、この構成の場合には、背面扉３７は背面側から見ると右方向にスライド移動する構成であり、背面制御パネル６０は背面パネル５８に対して背面側から見て右側に配置される。
【００４５】
なお、本発明の滅菌装置としては蒸気滅菌装置に限定するものではなく、酸化エチレンガス滅菌装置であってもよい。
【符号の説明】
【００４６】
３０  滅菌装置
３２  滅菌室
３４  缶体
３６  正面扉
３７  背面扉
４０  正面パネル
４１  配管ユニット
４４  工程表示灯
４５  操作部
４６  正面制御パネル
４８  操作表示ユニット
４９  ヒンジ
５０  正面開閉パネル
５２  把持部
５８  背面パネル
６０  背面制御パネル
６１  操作表示ユニット
６２  背面開閉パネル
６９  ヒンジ
【図１】
2020156819.tif 000003
【図２】
2020156819.tif 000004
【図３】
2020156819.tif 000005